【事件の表示】
　特許第３１０４４６４号「画像データ処理装置」の請求項１に係る特許に対する特許異議の申立てについて、次のとおり決定する。
【結　論】
　訂正を認める。
　特許第３１０４４６４号の請求項１に係る特許を維持する。
【理　由】
［１］手続の経緯
　本件特許３１０４４６４号の発明は、平成１年８月２１日に出願された実願平１年９６６８６号を特許法４６条第１項の規定により、平成５年４月２０日に特許出願に変更したものであって、平成１２年９月１日にその特許の設定登録がなされ、その後、島田洋及び相原光政から特許異議の申立がなされ、取消理由が通知され、その指定期間内である平成１３年９月２１日に訂正請求がなされたものである。
　
［２］訂正の適否についての判断
［２−１］訂正の内容
　特許権者が求めている訂正の内容は、以下のとおりの訂正事項である。
（１）特許請求の範囲の請求項１を、
「【請求項１】　記憶媒体に複数の静止画データを記録し再生する画像データ処理装置において、上記記憶媒体に複数の静止画データを記録する画像データ記録手段と、上記記憶媒体に記録された各静止画データに対応した日付データ
を日付データ記憶部を介して
を上記日付データ記憶部に読み出し、
（２）発明の詳細な説明の項の【課題を解決するための手段】を、「すなわち本発明に係わる画像データ処理装置は、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して
を上記日付データ記憶部に読み出し、
（３）発明の詳細な説明の項の【発明の効果】を、「以上のように本発明によれば、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して
を上記日付データ記憶部に読み出し、
　
［２−２］訂正の目的の適否、新規事項の有無及び拡張・変更の存否
　訂正事項（１）は、特許明細書の段落番号（００３４）（００３５）（００４０）、図３及び図４の記載に基いて、特許明細書の特許請求の範囲の、「上記記憶媒体に記録された各静止画データに対応した日付データを該記憶媒体に記録する日付データ記録手段と、上記記憶媒体に記録された日付データの大小関係を判断する判断手段」を「上記記憶媒体に記録された各静止画データに対応した日付データ
を日付データ記憶部を介して
を上記日付データ記憶部に読み出し、
　訂正事項（２）及び（３）は、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
　
［２−３］
　以上のとおりであるから、上記訂正は、特許法第１２０条の４第２項及び第３項で準用する特許法第１２６条第２項ないし第３項、及び特許法等の一部を改正する法律（平成６年法律第１１６号）附則第６条第１項の規定に適合するので、当該訂正を認める。
　
［３］特許異議の申立についての判断
［３−１］申立の理由の概要
　申立人相原光政は、証拠として、甲第１号証（特願平１−１７１０７０号（特開平３−３６６４１号公報）、以下「先願明細書１」という。）を提出し、特許請求の範囲の請求項１に係る発明についての特許は、特許法第２９条の２の規定に違反してなされたものであるので、特許を取り消すべきものと主張している。
　また、申立人島田洋は、証拠として、甲第１号証（実願平１−２９６８６号（実開平２−１２３７８６号）のマイクロフィルム、以下「先願明細書２」という。）、甲第２号証（特開昭６３−１７３１６３号公報、以下「刊行物１」という。）および甲第３号証（特開昭６３−２８６０７７号公報、以下「刊行物２」という。）を提出し、特許請求の範囲の請求項１に係る発明についての特許は、特許法第２９条の２、第２９条第１項３号および第２項の規定に違反してなされたものであるので、特許を取り消すべきものと主張している。
　
［３−２］本件発明
　上記訂正請求により訂正された訂正明細書の特許請求の範囲の請求項１に係る発明は、その請求項１に記載されたとおりのものである。
「【請求項１】上記［２−１］の（１）のとおり。」
　
［３−３］第２９条の２、先願明細書１
（先願明細書１）
　本件請求項１に係る発明に対して、当審が通知した取消理由で引用した、本件出願前の出願であってその出願後に出願公開された願書に最初に添付した明細書及び図面である上記先願明細書１には、「メモリカード」と「ディジタル電子スチルカメラ」と「再生装置」が記載され、上記「ディジタル電子スチルカメラ」は、メモリカードへの書込み制御を行うシステム制御部６８と、日時データを含むＭＡＴデータをメモリカードに書き込むＤＩＲ・ＭＡＴ情報書込み回路７２とを備え、上記「再生装置」は、メモリカードより読み出したＭＡＴデータの整列を行い時系列テーブルを作成するシステム制御部２１４と、ディレクトリの番号を示すデータを撮影日時データの順に再配列した時系列テーブルと、時系列テーブルを参照して時系列再生を行うシステム制御部２１４とを備える旨が、記載されている。
（対比・判断）
　本件請求項１に係る発明と先願明細書１に記載された発明とを対比すると、先願明細書１の「ディジタル電子スチルカメラと再生装置」「日時データ」「ＤＩＲ・ＭＡＴ情報書込み回路」「システム制御部２１４」は、それぞれ本件請求項１に係る発明の「画像データ処理装置」「日付データ」「日付データ記録手段」「判断手段」に相当している。
　しかしながら、本件請求項１に係る発明は、「記憶媒体に記録された各静止画データに対応した日付データ
を日付データ記憶部を介して
を上記日付データ記憶部に読み出し、
　よって、本件請求項１に係る発明は、先願明細書１に記載された発明であるとすることはできない。
　
［３−４］第２９条の２、先願明細書２
（先願明細書２）
　本件請求項１に係る発明に対して、申立人島田洋が提出した、本件出願前の出願であってその出願後に出願公開された願書に最初に添付した明細書及び図面である上記先願明細書２には、「逐次変化するカレンダ情報を生成するカレンダ情報生成手段と、このカレンダ情報生成手段で生成されるカレンダ情報の内容を初期設定するカレンダ情報初期設定手段と、所定の書込指令により前記カレンダ情報生成手段で生成されているカレンダ情報を光ディスク上の記録可能な領域に記録するカレンダ情報記録制御手段と、ディスク再生信号からカレンダ情報を読み取るカレンダ情報読取手段と、このカレンダ情報読取手段で読み取られたカレンダ情報を保持するカレンダ情報メモリ手段と、このカレンダ情報メモリ手段に保持されたカレンダ情報を表示手段に表示する表示制御手段とを具備してなる光ディスク記録再生装置。」（実用新案登録請求の範囲）が記載され、「このディスク再生カレンダ情報をシステムコントローラ２９に入力して、特定の日付に記録した情報のサーチや日付順のソート再生を行うこともできる。」（明細書１４頁７〜１０行）と記載されている。
（対比・判断）
　本件請求項１に係る発明と先願明細書２に記載された発明とを対比すると、本件請求項１に係る発明は、上記構成要件を具備するものであるのに対し、上記先願明細書２に記載された発明は、日付順のソート再生を行うための具体的な構成が記載されていないので、本件請求項１に係る発明の上記構成要件を備えておらず、自明の事項でもない。
　よって、本件請求項１に係る発明は、先願明細書２に記載された発明であるとすることはできない。
　
［３−５］第２９条第１項３号及び第２項
（刊行物１）
 申立人島田洋が提出した刊行物１には、「複数の情報を例えばファイル形式で記憶している電子ファイリング装置等から所望の情報を検索する情報検索装置」（公報１頁右下欄２から４行）に関し、「画像情報等を記憶する光ディスク装置１５」（公報２頁右下欄１〜２行）、「検索すべき情報等を記憶する磁気ディスク装置１８」（公報２頁右下欄５〜６行）、「表示順序を所望の順序で並び替えることができるソート機能も有し、ソート指定用キーとして例えば日付のキーワードを入力すると、日付順に表示することもできるのである」（公報３頁右下欄１８行〜４頁左上欄１行）、「表示指定キー番号およびソート指定キー番号が入力されると、これらのキー番号のキーワードを有するすべてのタイトルがデータベースのタイトル表から読み出され、メインメモリ２１に記憶される」（公報４頁左下欄１２〜１６行）および「ソート指定キー番号のキーワードに従って並び替えが行われる」（公報４頁右下欄２〜３行）と記載されている。
（対比・判断）
　本件請求項１に係る発明と、刊行物１に記載された発明と対比すると、刊行物１の「情報検索装置」「光ディスクまたは磁気ディスク」「光ディスク装置」「磁気ディスク装置」は、それぞれ本件請求項１に係る発明の「画像データ処理装置」「記憶媒体」「画像データ記録手段」「日付データ記録手段」に対応している。
　本件請求項１に係る発明は、上記構成要件を具備するものであるのに対し、上記刊行物１に記載された発明は、順番記憶手段とこれに記憶された順番で静止画データを再生する再生手段について具体的に記載がなく、日付データ記録手段と判断手段の構成において異なっているので、本件請求項１に係る発明の構成に欠くことのできない事項である上記構成要件については記載もなく、示唆もない。
  また、記録データの順序で読み出し表示再生する点が公知であることを示すために異議申立において引用された刊行物２にも、上記構成要件は記載されてないし示唆もない。
　上記構成要件について、いずれの刊行物にも記載されておらず、刊行物１〜２に記載されたものを組み合わせても具体的な上記構成要件を得ることはできない。そして、上記構成要件により、「複数の撮像記録された静止画データを再生する場合に、撮影日付の順序に従ってスムーズにデータ出力することが可能になる」という明細書記載の顕著な効果を奏している。
　よって、本件請求項１に係る発明は刊行物１に記載された発明と同一ではなく、また刊行物１ないし２に記載された発明に基づいて当業者が容易に発明をすることができたものでもない。
　
［４］むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。 
【異議決定日】
平成１３年１０月１１日（２００１．１０．１１）
【訂正の要旨】
訂正の要旨
（訂正事項１）
　特許請求の範囲の請求項１において、
「記憶媒体に複数の静止画データを記録し再生する画像データ処理装置において、
上記記憶媒体に複数の静止画データを記録する画像データ記録手段と、
上記記憶媒体に記録された各静止画データに対応した日付データを該記憶媒体に記録する日付データ記録手段と、
上記記憶媒体に記録された日付データの大小関係を判断する判断手段と、
この判断手段により得られた日付データの大小関係に応じた順番を記憶する順番記憶手段と、
この順番記憶手段に記憶された順番で上記記憶媒体に記録された静止画データを再生する再生手段と、
を具備したことを特徴とする画像データ処理装置。」
を
「記憶媒体に複数の静止画データを記録し再生する画像データ処理装置において、
上記記憶媒体に複数の静止画データを記録する画像データ記録手段と、
上記記憶媒体に記録された各静止画データに対応した日付データ
を日付データ記憶部を介して該
上記記憶媒体に記録された日付データ
を上記日付データ記憶部に読み出し、大
この判断手段により得られた日付データの大小関係に応じた順番を記憶する順番記憶手段と、
この順番記憶手段に記憶された順番で上記記憶媒体に記録された静止画データを再生する再生手段と、
を具備したことを特徴とする画像データ処理装置。」
と訂正する。
（訂正事項２）
　明細書の「課題を解決するための手段」の記載において
「すなわち本発明に係わる画像データ処理装置は、記憶媒体に複数の静止画データを記録し再生するもので、上記記憶媒体に複数の静止画データを記録する画像データ記録手段と、上記記憶媒体に記録された各静止画データに対応した日付データを該記憶媒体に記録する日付データ記録手段と、上記記憶媒体に記録された日付データの大小関係を判断する判断手段と、この判断手段により得られた日付データの大小関係に応じた順番を記憶する順番記憶手段と、この順番記憶手段に記憶された順番で上記記憶媒体に記録された静止画データを再生する再生手段とを備えて構成したものである。」
を
「すなわち本発明に係わる画像データ処理装置は、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して該
を上記日付データ記憶部に読み出し、大
（訂正事項３）
　明細書の「発明の効果」の記載において
「以上のように本発明によれば、記憶媒体に複数の静止画データを記録し再生するもので、上記記憶媒体に複数の静止画データを記録する画像データ記録手段と、上記記憶媒体に記録された各静止画データに対応した日付データを該記憶媒体に記録する日付データ記録手段と、上記記憶媒体に記録された日付データの大小関係を判断する判断手段と、この判断手段により得られた日付データの大小関係に応じた順番を記憶する順番記憶手段と、この順番記憶手段に記憶された順番で上記記憶媒体に記録された静止画データを再生する再生手段とを備えて構成したので、複数撮像記録された静止画データを再生する場合に、撮影日付の順序に従ってスムーズにデータ出力することが可能になる画像データ処理装置を提供できる。」
を
「以上のように本発明によれば、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して該
を上記日付データ記憶部に読み出し、大
（５４）【発明の名称】
画像データ処理装置
（５７）【特許請求の範囲】
　【請求項１】　記憶媒体に複数の静止画データを記録し再生する画像データ処理装置において、上記記憶媒体に複数の静止画データを記録する画像データ記録手段と、上記記憶媒体に記録された各静止画データに対応した日付データ
を日付データ記憶部を介して該
を上記日付データ記憶部に読み出し、大
【発明の詳細な説明】
　【０００１】
　【産業上の利用分野】
　本発明は、撮像された画像データを記録し再生する電子スチルカメラ等の画像データ処理装置に関する。
　【０００２】
　【従来の技術】
　従来、一般に、静止画データを撮像記録するカメラには、銀塩フィルムに対し光学像を露光するフィルムカメラや、あるいは、固体撮像素子により撮像された静止画データをフロッピディスクに記録するフロッピカメラ等が実用化されている。
　【０００３】
　ここで、上記カメラには、撮影した日付を同時記録するものがあるが、上記フィルムカメラの場合、日付データはフィルムに対し直接写し込まれている。また、フロッピカメラの場合には、フロッピディスクのある記録トラックを日付データ記録用のトラックとして用い、静止画データの記録トラック数に対応させてその日付データの書込みを行なっている。
　【０００４】
　【発明が解決しようとする課題】
　ここで、上記フィルムカメラでは、フィルムの巻き上げ順に必然的に撮影日付が進むことになるが、上記フロッピカメラでは、一度記録した静止画データを消去することができるため、この静止画データの消去と撮影記録とが繰返されると、該静止画データの再生時において、撮影日付が前後して出力されてしまう。
　【０００５】
　本発明は上記のような問題点に鑑みなされたもので、複数撮像記録された静止画データを再生する場合に、撮影日付の順序に従ってデータ出力することが可能になる画像データ処理装置を提供することを目的とする。
　【０００６】
　【課題を解決するための手段】
　すなわち本発明に係わる画像データ処理装置は、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して該
を上記日付データ記憶部に読み出し、大
　【０００７】
　【作用】
　つまり、例えばフロッピディスク（記憶媒体）のインデックストラックに記録した各静止画データに対応する撮像日付データは、一旦、日付データ記録手段に記録される。その撮像日付順が日付データの大小関係により判断され、上記静止画データの記録トラックＮｏが日付データに基づいて整理されて順序記憶部に記憶されるので、この記憶された整理後のトラックＮｏ基き、上記フロッピディスクに対する入出力磁気ヘッドを移動制御すれば、該フロッピディスクに記録された複数の静止画データは撮像日付順に順次出力再生されることになる。
　【０００８】
　【実施例】
　以下図面により本発明の一実施例を説明する。図１は本発明の画像データ処理装置を搭載した電子スチルカメラにおける第１電子回路の構成を示すブロック図である。
　【０００９】
　図２は本発明の画像データ処理装置を搭載した電子スチルカメラにおける第２電子回路の構成を示すブロック図である。上記図１及び図２において、１０は制御部であり、この制御部１０は、レリーズスイッチ及び動作命令キー１１におけるレリーズスイッチや再生キー、あるいは記録／再生モードのモード切換えキーのスイッチ及びキー操作に応じて回路各部の動作を制御する。
　【００１０】
　例えば記録モードにおいて、撮像部１２は、撮像レンズ等の光学系、及びＣＣＤイメージセンサを備え、ユーザがファインダを通して捕えた被写体像を該イメージセンサの画素領域に光学的に結像させるもので、この撮像部１２により得られる静止画データの撮像信号はデコーダ１３に出力される。
　【００１１】
　このデコーダ１３は、入力された撮像信号を輝度信号（Ｙ）と色差信号（Ｒ−Ｙ）（Ｂ−Ｙ）とに分離するもので、このデコーダ１３からの輝度信号（Ｙ）と色差信号（Ｒ−Ｙ）（Ｂ−Ｙ）とは、何れもＦＭ変調部１４に供給される。このＦＭ変調部１４は、デコーダ１３から入力される各信号（Ｙ）（Ｒ−Ｙ）（Ｂ−Ｙ）をそれぞれＦＭ変調して重畳するもので、このＦＭ変調部１４により変調重畳された画像信号は、スイッチ回路１５を介して磁気ディスク装置１６に出力され、その磁気ヘッドを通してフロッピディスクに記録される。
　【００１２】
　この場合、磁気ディスク装置１６のフロッピディスクは、例えば５０トラックの記録領域を有し、１〜４９トラックにはその個々のトラックに静止画データが書込まれ、また、５０トラック目（インデックストラック）には、該静止画データの個々の記録トラックに対応して撮像日付データが書込まれる。
　【００１３】
　ここで、磁気ディスク装置１６における磁気ヘッドのトラック間移動制御は、制御部１０からのヘッド制御信号によりヘッド移動制御部１７を介して行なわれる。
　【００１４】
　一方、上記被写体像の撮像記録処理が終了した後の再生モードにおいて、上記磁気ディスク装置１６のフロッピディスクに記録された画像信号は、スイッチ回路１８を介し復調部１９に出力される。
　【００１５】
　この復調部１９は、磁気ディスク装置１６によりフロッピディスクから読出される画像信号を復調し、輝度信号（Ｙ）と色差信号（Ｒ−Ｙ）（Ｂ−Ｙ）とに分離するもので、この復調部１９からの復調画像信号はエンコーダ２０に与えられ、ＮＴＳＣ（Ｎａｔｉｏｎａｌ　Ｔｅｌｅｖｉｓｉｏｎ　Ｓｙｓｔｅｍ　Ｃｏｍｍｉｔｅｅ）方式のビデオ信号Ｖｉｄｅｏに変換されて、例えばモニタテレビのビデオ再生端子に出力される。
　【００１６】
　ここで、スイッチ回路１５，１８は、それぞれ上記磁気ディスク装置１６のフロッピディスクにおけるインデックストラックに対し、撮像日付データの書込み及び読出しを行なう際に、制御部１０からのスイッチ制御信号により切換えられるもので、上記インデックスデータは、制御部１０との間でデータ信号処理部２１を通して書込み／読出し処理される。
　【００１７】
　制御部１０には、西暦，日付データをカウントする日付カウンタ２２、及び上記フロッピディスクのインデックストラックに対する撮像日付データが記憶される日付データ記憶部２３が接続され、この日付データ記憶部２３におけるアドレス制御は、アドレス制御部２４によりフロッピディスクの個々の静止画記録トラックに対応させて指定される。
　【００１８】
　つまり、日付データ記憶部２３には、フロッピディスクの１〜４９トラックに個々に対応する日付データ記憶アドレスを有し、そのそれぞれに上記日付カウンタ２２のカウントデータに基づく撮像日付データが書込まれる。
　【００１９】
　一方、制御部１０と日付データ記憶部２３との間のデータ転送ラインには、第１及び第２レジスタ２５ａ，２５ｂが接続される。この第１及び第２レジスタ２５ａ，２５ｂは、それぞれ上記アドレス制御部２４により指定される日付データ記憶部２３のメモリアドレスに応じた撮像日付データを格納するもので、この第１及び第２レジスタ２５ａ，２５ｂに格納された各撮像日付データは、第１比較部２６に送られ、該第１レジスタ２５ａに格納された日付データが、第２レジスタ２５ｂに格納された日付データ以下であるか否かが比較判断される。この第１比較部２６からの比較結果データは制御部１０に出力される。
　【００２０】
　また、アドレス制御部２４には、制御部１０からのカウンタ制御信号によりカウント動作するトラックＮｏカウンタ２７からのカウントデータが与えられ、このトラックＮｏカウンタ２７にはトラックＮｏ記憶部２８が接続される。
　【００２１】
　そして、制御部１０には最終トラックＮｏ記憶部２９が接続され、上記トラックＮｏカウンタ２７におけるカウントトラックＮｏと該最終トラックＮｏ記憶部２９における最終トラックＮｏとは、第２比較部３０で比較される。
　【００２２】
　この第２比較部３０は、トラックＮｏカウンタ２７において順次カウントされるフロッピディスクのトラックＮｏが最終記録トラックＮｏを越えたか否かを比較判断するもので、この第２比較部３０からの比較判断信号は制御部１０に出力される。
　【００２３】
　上記トラックＮｏ記憶部２８は、上記第１比較部２６における第１レジスタ２５ａと第２レジスタ２５ｂとの日付データの比較結果が、「第１レジスタ＞第２レジスタ」となる場合のトラックＮｏカウンタ２７におけるトラックＮｏを記憶するもので、このトラックＮｏ記憶部２８に記憶されたトラックＮｏデータは制御部１０に接続された順序記憶部３１に与えられる。
　【００２４】
　つまり、上記日付データ記憶部２３，アドレス制御部２４，第１レジスタ２５ａ，第２レジスタ２５ｂ，第１比較部２６，トラックＮｏカウンタ２７，トラックＮｏ記憶部２８，最終トラックＮｏ記憶部２９，第２比較部３０では、フロッピディスクの各記録トラックにおける最小日付データを有するトラックＮｏを得るもので、上記順序記憶部３１には、アドレスカウンタ３２によりそのメモリアドレスが進められる毎に、小さい日付データから順次大きな日付データを有するトラックＮｏが書込まれる。
　【００２５】
　また、制御部１０には、フロッピディスクにおける静止画記録枚数を記憶する枚数記憶部３３が接続され、この枚数記憶部３３と上記アドレスカウンタ３２との間には第３比較部３４が接続される。
　【００２６】
　この第３比較部３４は、フロッピディスクにおける静止画データの総記録枚数と順序記憶部３１において日付データの小さい順に書込まれるトラックＮｏの数とを比較し、順序記憶部３１における書込みトラック数、つまりアドレスカウンタ３２のカウントデータが、静止画記録枚数を越えたか否かを比較判断するもので、この第３比較部３４からの比較判断信号は制御部１０に出力される。
　【００２７】
　次に、上記構成による電子スチルカメラの動作について説明する。図３は上記電子スチルカメラにおける撮像記録処理を示すフローチャートである。
　【００２８】
　すなわち、被写体像の撮像を行なうのに、モード切換えキーを操作して撮像記録モードを設定すると、制御部１０はレリーズスイッチ及び動作命令キー１１からのモード切換えキー操作信号に応じて記録モードに設定される。
　【００２９】
　すると、制御部１０は磁気ディスク装置１６にディスク装置制御信号を供給し、フロッピディスクのインデックストラックに記録される各静止画記録トラックの日付データを読出し、スイッチ回路１８→データ信号処理部２１を介して日付データ記憶部２３に転送記憶させる（ステップＲ１）。
　【００３０】
　ここで、カメラ電源のオフ操作又はフロッピディスクのイジェクト操作が無ければ、制御部１０からヘッド移動制御部１７を通して、磁気ディスク装置１６によりフロッピディスクの空きトラックがサーチされる（ステップＲ２，Ｒ３）。
　【００３１】
　そして、上記空きトラックがサーチされると、ヘッド移動制御部１７を通して磁気ディスク装置１６の磁気ヘッドがフロッピディスクの空きトラック位置に移動設定される（ステップＲ４，Ｒ５）。
　【００３２】
　この時、アドレス制御部２４により、上記フロッピディスクの空きトラックに対応する日付データ記憶部２３のメモリアドレスがセットされる（ステップＲ６）。
　【００３３】
　この後、ユーザによりファインダを通して被写体像が捕えられレリーズスイッチが操作されると、撮像部１２により得られた撮像信号が、デコーダ１３を介して輝度信号（Ｙ）と色差信号（Ｒ−Ｙ）（Ｂ−Ｙ）とに分離され、ＦＭ変調部１４を介してＦＭ変調，重畳された後、スイッチ回路１５を通して磁気ディスク装置１６に送られ、予めセットされた磁気ヘッドを介してフロッピディスクの空きトラックに対し静止画撮像データとして記録される（ステップＲ７，Ｒ８）。
　【００３４】
　この時、上記撮像データの記録を行なったフロッピディスクトラックに対応する日付データ記憶部２３のメモリアドレスに対し、日付カウンタ２２からその撮像日付データが書込まれる（ステップＲ９）。
　【００３５】
　一方、上記ステップＲ７において、レリーズスイッチが操作されない状態で、しかもカメラ電源がオフされるか又はフロッピディスクのイジェクト操作が行なわれた場合には、日付データ記憶部２３に記憶される各静止画記録トラックに対応する撮像日付データは、制御部１０からデータ信号処理部２１及びスイッチ回路１５を介して、磁気ディスク装置１６に転送され、再びフロッピディスクのインデックストラックに書込まれる（ステップＲ７→Ｒ１０，Ｒ１１）。
　【００３６】
　また、上記ステップＲ２において、カメラ電源のオフ操作又はフロッピディスクのイジェクト操作が行なわれた場合、あるいは上記ステップＲ４において、フロッピディスクの空きトラックがサーチされない場合には、上記ステップＲ１１に進み、日付データ記憶部２３に記憶される各静止画記録トラックに対応する撮像日付データが、制御部１０からデータ信号処理部２１及びスイッチ回路１５を介して、磁気ディスク装置１６に転送され、再びフロッピディスクのインデックストラックに書込まれることになる。
　【００３７】
　こうして、上記被写体像の撮像を行なうと、フロッピディスクの空きトラックに対して静止画撮像データが記録されると共に、該フロッピディスクのインデックストラックには、上記静止画記録トラックに対応して撮像日付データが記録される。
　【００３８】
　図４は上記電子スチルカメラにおける撮像データの再生処理を示す前半フローチャートである。図５は上記電子スチルカメラにおける撮像データの再生処理を示す後半フローチャートである。
　【００３９】
　すなわち、上記撮像データの再生を行なうのに、モード切換えキーを操作して撮像データ再生モードを設定すると、制御部１０はレリーズスイッチ及び動作命令キー１１からのモード切換えキー操作信号に応じて再生モードに設定される。
　【００４０】
　すると、制御部１０は磁気ディスク装置１６にディスク装置制御信号を供給し、フロッピディスクのインデックストラックに記録される各静止画記録トラックの日付データを読出し、スイッチ回路１８→データ信号処理部２１を介して日付データ記憶部２３に転送記憶させる（ステップＰ１）。
　【００４１】
　ここで、フロッピディスクにおける静止画記録トラックは１〜５トラック、この１〜５トラックに対応してインデックストラックに記録された日付データは、それぞれ同一年月で「トラック１：６日」「トラック２：７日」「トラック３：７日」「トラック４：３日」「トラック５：４日」とする。
　【００４２】
　すると、日付データ記憶部２３における最終トラックＮｏ、この場合「トラック５」が制御部１０に読出され最終トラックＮｏ記憶部２９に転送記憶される（ステップＰ２）。また、同様にして、静止画記録枚数、この場合「５枚」が枚数記憶部３３に記憶される（ステップＰ３）。
　【００４３】
　そして、トラックＮｏカウンタ２７が制御部１０によりリセットされた後、このトラックＮｏカウンタ２７におけるカウントデータ（この場合、トラック「１」）がトラックＮｏ記憶部（レジスタ）２８に格納される（ステップＰ４，Ｐ５）。
　【００４４】
　この時、アドレス制御部２４は、上記トラックＮｏカウンタ２７に格納されるトラックＮｏ「１」に対応して、日付データ記憶部２３のメモリアドレスを指定し、この日付データ記憶部２３の指定アドレスに記憶される日付データ、この場合、
トラック「１」に対応する日付データ「６日」が第１レジスタ２５ａに格納される（ステップＰ６）。
　【００４５】
　ここで、トラックＮｏカウンタ２７のカウントデータが（＋１）されてトラック「２」となり、このカウントデータ「２」が上記最終トラックＮｏ記憶部２９に予め記憶される最終トラックＮｏ「５」を越えたか否か、つまり、全記録トラックに対する日付データのサーチが済んだか否か、第２比較部３０において比較判断される（ステップＰ７，Ｐ８）。
　【００４６】
　この場合、ステップＰ８では、現カウンタトラックＮｏ「２」、最終トラックＮｏ「５」であるので「Ｎｏ」と判断され、そのトラックＮｏ「２」に対し、最小日付データであることを示す選択フラグが立てられているか否か判断される（ステップＰ９）。そして、現カウンタトラックＮｏ「２」に対応する日付データ記憶部２３の日付「７日」が第２レジスタ２５ｂに格納される（ステップＰ１０）。
　【００４７】
　すると、第１レジスタ２５ａに格納された静止画記録トラックの日付データは、第２レジスタ２５ｂに格納された静止画記録トラックの日付データ以下か否か比較判断される（ステップＰ１１）。
　【００４８】
　この場合、第１レジスタ２５ａには、トラックＮｏ「１」に対応する「６日」が、また第２レジスタ２５ｂにはトラックＮｏ「２」に対応する「７日」が格納されているので、上記ステップＰ１１では「Ｙｅｓ」と判断され、再びステップＰ７に戻る。
　【００４９】
　この後、ステップＰ７〜Ｐ１１に進むと、第１レジスタ２５ａには、トラックＮｏ「１」に対応する「６日」が、また第２レジスタ２５ｂにはトラックＮｏ「３」に対応する「７日」が格納されているので、再び「Ｙｅｓ」と判断されステップＰ７に戻る。
　【００５０】
　さらに、ステップＰ７〜Ｐ１１に進むと、第１レジスタ２５ａには、トラックＮｏ「１」に対応する「６日」が、また第２レジスタ２５ｂにはトラックＮｏ「４」に対応する「３日」が格納されているので「Ｎｏ」と判断され、そのトラックＮｏ「４」がトラックＮｏカウンタ２７から読出されトラックＮｏ記憶部２８に格納される（ステップＰ１２）。そして、上記第２レジスタ２５ｂに格納されている日付データ（この場合「３日」）が第１レジスタ２５ａに対し転送格納され（ステップＰ１３）、再びステップＰ７に戻る。
　【００５１】
　ここで、ステップＰ７〜Ｐ１１に進むと、第１レジスタ２５ａには、トラックＮｏ「４」に対応する「３日」が、また第２レジスタ２５ｂにはトラックＮｏ「５」に対応する「４日」が格納されているので「Ｙｅｓ」と判断されステップＰ７に戻る。
　【００５２】
　さらに、ステップＰ７において、トラックＮｏカウンタ２７のカウントデータが（＋１）されてトラック「６」になると、第２比較部３０では、最終トラック「５」を越えたと比較判断されるので、ステップＰ８において「Ｙｅｓ」と判断され、上記ステップＰ１２において予めトラックＮｏ記憶部２８に格納した最小日付データを有するトラックＮｏ（この場合「４」）が順序記憶部３１に転送記憶される（ステップＰ１４）。
　【００５３】
　すると、上記トラックＮｏ記憶部２８におけるトラックＮｏ「４」に対応する日付データ記憶部２３のメモリアドレスが、アドレス制御部２４により指示され、そのメモリアドレスに対して選択フラグが立てられる（ステップＰ１５，Ｐ１６）。
　【００５４】
　この時、アドレスカウンタ３２におけるカウントデータが（＋１）されて、順序記憶部３１におけるトラックＮｏメモリアドレスが進められると共に、このアドレスカウンタ３２のカウントデータが枚数記憶部３３において記憶される静止画記録トラック数（この場合「５」）を越えたか否か、つまり順序記憶部３１において全静止画記録トラックの日付データの小さい順の書込み処理が終了したか否かが、第３比較部３４において比較判断される（ステップＰ１７，Ｐ１８）。
　【００５５】
　この場合、枚数記憶部３３に記憶される静止画記録トラック数は「５」、アドレスカウンタ３２のカウントデータは「２」であるので、ステップＰ１８では「Ｎｏ」と判断され上記トラックＮｏカウンタ２７がリセットされ、そのトラック指示Ｎｏが「１」とされる（ステップＰ１９）。すると、このトラック指示Ｎｏに対応する日付データ記憶部２３の日付データに選択フラグが立てられているか否か判断される（ステップＰ２０）。
　【００５６】
　この場合、トラックＮｏ「１」に対応する日付データ「６日」には、選択フラグは立てられていないので、ステップＰ２０では「Ｎｏ」と判断され、前記ステップＰ５に戻る。
　【００５７】
　この時、トラックＮｏカウンタ２７からトラックＮｏ記憶部２８に対して、再びトラックＮｏ「１」が転送記憶され、このトラックＮｏ「１」に対応する日付データ「６日」が日付データ記憶部２３から第１レジスタ２５ａに転送格納される（ステップＰ５，Ｐ６）。
　【００５８】
　そして、ステップＰ７〜Ｐ１１の処理が繰返され、トラックＮｏ「１」の日付データ「６日」に対するトラックＮｏ「２」，トラックＮｏ「３」それぞれの日付データ「７日」との比較判断が行なわれた後、ステップＰ７においてトラックＮｏカウンタ２７のトラックＮｏがトラック「４」にカウントアップされると、このトラックＮｏ「４」に対応する日付データ記憶部２３内の日付データ「３日」には、予めステップＰ１６において選択フラグが立てられているので、ステップＰ９において「Ｙｅｓ」と判断され、ステップＰ７に戻る。
　【００５９】
　この時、トラックＮｏカウンタ２７のトラックＮｏがトラック「５」にカウントアップされ、その日付データ「４日」が第２レジスタ２５ｂに格納されると（ステップＰ７〜Ｐ１０）、第１比較部２６では、上記第１レジスタ２５ａの日付データ「６日」より小さいと比較判断され、今度はトラックＮｏ「５」がトラックＮｏカウンタ２７から読出されトラックＮｏ記憶部２８に転送格納される（ステップＰ１１，Ｐ１２）。
　【００６０】
　そして、上記第２レジスタ２５ｂに記憶されるトラック「５」に対応する日付データ「４日」が第１レジスタ２５ａに転送格納された後、再びトラックＮｏカウンタ２７におけるカウントデータがトラック「６」にカウントアップされる（ステップＰ１３→Ｐ７）。
　【００６１】
　すると、第２比較部３０では、最終トラック「５」を越えたと比較判断されるので、ステップＰ８において「Ｙｅｓ」と判断され、上記ステップＰ１２において予めトラックＮｏ記憶部２８に格納した第２の最小日付データを有するトラックＮｏ（この場合「５」）が順序記憶部３１に転送記憶される（ステップＰ１４）。
　【００６２】
　すると、上記トラックＮｏ記憶部２８におけるトラックＮｏ「５」に対応する日付データ記憶部２３のメモリアドレスが、アドレス制御部２４により指示され、そのメモリアドレスに対して選択フラグが立てられる（ステップＰ１５，Ｐ１６）。
　【００６３】
　この時、アドレスカウンタ３２におけるカウントデータが（＋１）されて、順序記憶部３１におけるトラックＮｏメモリアドレスが進められると共に、このアドレスカウンタ３２のカウントデータが枚数記憶部３３において記憶される静止画記録トラック数（この場合「５」）を越えたか否か、つまり順序記憶部３１において全静止画記録トラックの日付データの小さい順の書込み処理が終了したか否かが、第３比較部３４において比較判断される（ステップＰ１７，Ｐ１８）。
　【００６４】
　この場合、枚数記憶部３３に記憶される静止画記録トラック数は「５」、アドレスカウンタ３２のカウントデータは「３」であるので、ステップＰ１８では「Ｎｏ」と判断され上記トラックＮｏカウンタ２７がリセットされ、そのトラック指示Ｎｏが「１」とされる（ステップＰ１９）。
　【００６５】
　すると、このトラック指示Ｎｏに対応する日付データ記憶部２３の日付データに選択フラグが立てられているか否か判断される（ステップＰ２０）。この場合、トラックＮｏ「１」に対応する日付データ「６日」には、選択フラグは立てられていないので、ステップＰ２０では「Ｎｏ」と判断され、前記ステップＰ５に戻る。
　【００６６】
　この時、トラックＮｏカウンタ２７からトラックＮｏ記憶部２８に対して、再びトラックＮｏ「１」が転送記憶され、このトラックＮｏ「１」に対応する日付データ「６日」が日付データ記憶部２３から第１レジスタ２５ａに転送格納される（ステップＰ５，Ｐ６）。
　【００６７】
　そして、ステップＰ７〜Ｐ１１の処理が繰返され、トラックＮｏ「１」の日付データ「６日」に対するトラックＮｏ「２」，トラックＮｏ「３」それぞれの日付データ「７日」との比較判断が行なわれた後、ステップＰ７においてトラックＮｏカウンタ２７のトラックＮｏがトラック「４」にカウントアップされると、このトラックＮｏ「４」に対応する日付データ記憶部２３内の日付データ「３日」には、予めステップＰ１６において選択フラグが立てられているので、ステップＰ９において「Ｙｅｓ」と判断され、ステップＰ７に戻る。
　【００６８】
　さらに、ステップＰ７においてトラックＮｏカウンタ２７のトラックＮｏがトラック「５」にカウントアップされると、このトラックＮｏ「５」に対応する日付データ記憶部２３内の日付データ「４日」には、予めステップＰ１６において選択フラグが立てられているので、ステップＰ９において「Ｙｅｓ」と判断され、ステップＰ７に戻る。
　【００６９】
　すると、再びトラックＮｏカウンタ２７におけるカウントデータがトラック「６」にカウントアップされる（ステップＰ７）。これにより、第２比較部３０では、最終トラック「５」を越えたと比較判断されるので、ステップＰ８において「Ｙｅｓ」と判断され、上記ステップＰ５において予めトラックＮｏ記憶部２８に格納した第３の最小日付データを有するトラックＮｏ（この場合「１」）が順序記憶部３１に転送記憶される（ステップＰ１４）。
　【００７０】
　すると、上記トラックＮｏ記憶部２８におけるトラックＮｏ「１」に対応する日付データ記憶部２３のメモリアドレスが、アドレス制御部２４により指示され、そのメモリアドレスに対して選択フラグが立てられる（ステップＰ１５，Ｐ１６）。
　【００７１】
　この時、アドレスカウンタ３２におけるカウントデータが（＋１）されて、順序記憶部３１におけるトラックＮｏメモリアドレスが進められると共に、このアドレスカウンタ３２のカウントデータが枚数記憶部３３において記憶される静止画記録トラック数（この場合「５」）を越えたか否か、つまり順序記憶部３１において全静止画記録トラックの日付データの小さい順の書込み処理が終了したか否かが、第３比較部３４において比較判断される（ステップＰ１７，Ｐ１８）。
　【００７２】
　この場合、枚数記憶部３３に記憶される静止画記録トラック数は「５」、アドレスカウンタ３２のカウントデータは「４」であるので、ステップＰ１８では「Ｎｏ」と判断され上記トラックＮｏカウンタ２７がリセットされ、そのトラック指示Ｎｏが「１」とされる（ステップＰ１９）。すると、このトラック指示Ｎｏに対応する日付データ記憶部２３の日付データに選択フラグが立てられているか否か判断される（ステップＰ２０）。
　【００７３】
　この場合、トラックＮｏ「１」に対応する日付データ「６日」には、上記ステップＰ１６において選択フラグが立てられたので、ステップＰ２０では「Ｙｅｓ」と判断され、トラックＮｏカウンタ２７のカウントデータがトラック「２」にカウントアップされる（ステップＰ２１）。この場合、トラックＮｏ「２」に対応する日付データ「７日」には、選択フラグは立てられていないので、ステップＰ２０では「Ｎｏ」と判断され、前記ステップＰ５に戻る。
　【００７４】
　この時、トラックＮｏカウンタ２７からトラックＮｏ記憶部２８に対して、トラックＮｏ「２」が転送記憶され、このトラックＮｏ「２」に対応する日付データ「７日」が日付データ記憶部２３から第１レジスタ２５ａに転送格納される（ステップＰ５，Ｐ６）。
　【００７５】
　そして、ステップＰ７〜Ｐ１１の処理により、トラックＮｏ「２」の日付データ「７日」に対するトラックＮｏ「３」の日付データ「７日」との比較判断が行なわれた後、ステップＰ７においてトラックＮｏカウンタ２７のトラックＮｏがトラック「４」にカウントアップされると、このトラックＮｏ「４」に対応する日付データ記憶部２３内の日付データ「３日」には、予めステップＰ１６において選択フラグが立てられているので、ステップＰ９において「Ｙｅｓ」と判断され、ステップＰ７に戻る。
　【００７６】
　さらに、ステップＰ７においてトラックＮｏカウンタ２７のトラックＮｏがトラック「５」にカウントアップされると、このトラックＮｏ「５」に対応する日付データ記憶部２３内の日付データ「４日」には、予めステップＰ１６において選択フラグが立てられているので、ステップＰ９において「Ｙｅｓ」と判断され、ステップＰ７に戻る。
　【００７７】
　すると、再びトラックＮｏカウンタ２７におけるカウントデータがトラック「６」にカウントアップされる（ステップＰ７）。これにより、第２比較部３０では、最終トラック「５」を越えたと比較判断されるので、ステップＰ８において「Ｙｅｓ」と判断され、上記ステップＰ５において予めトラックＮｏ記憶部２８に格納した第４の最小日付データを有するトラックＮｏ（この場合「２」）が順序記憶部３１に転送記憶される（ステップＰ１４）。
　【００７８】
　すると、上記トラックＮｏ記憶部２８におけるトラックＮｏ「２」に対応する日付データ記憶部２３のメモリアドレスが、アドレス制御部２４により指示され、そのメモリアドレスに対して選択フラグが立てられる（ステップＰ１５，Ｐ１６）。
　【００７９】
　この時、アドレスカウンタ３２におけるカウントデータが（＋１）されて、順序記憶部３１におけるトラックＮｏメモリアドレスが進められると共に、このアドレスカウンタ３２のカウントデータが枚数記憶部３３において記憶される静止画記録トラック数（この場合「５」）を越えたか否か、つまり順序記憶部３１において全静止画記録トラックの日付データの小さい順の書込み処理が終了したか否かが、第３比較部３４において比較判断される（ステップＰ１７，Ｐ１８）。
　【００８０】
　この場合、枚数記憶部３３に記憶される静止画記録トラック数は「５」、アドレスカウンタ３２のカウントデータは「５」であるので、ステップＰ１８では「Ｎｏ」と判断され上記トラックＮｏカウンタ２７がリセットされ、そのトラック指示Ｎｏが「１」とされる（ステップＰ１９）。
　【００８１】
　すると、このトラック指示Ｎｏに対応する日付データ記憶部２３の日付データに選択フラグが立てられているか否か判断される（ステップＰ２０）。この場合、トラックＮｏ「１」に対応する日付データ「６日」には、上記ステップＰ１６において選択フラグが立てられたので、ステップＰ２０では「Ｙｅｓ」と判断され、トラックＮｏカウンタ２７のカウントデータがトラック「２」にカウントアップされる（ステップＰ２１）。
　【００８２】
　また、トラックＮｏ「２」に対応する日付データ「７日」には、上記ステップＰ１６において選択フラグが立てられたので、ステップＰ２０では「Ｙｅｓ」と判断され、トラックＮｏカウンタ２７のカウントデータがトラック「３」にカウントアップされる（ステップＰ２１）。
　【００８３】
　この場合、トラックＮｏ「３」に対応する日付データ「７日」には、選択フラグは立てられていないので、ステップＰ２０では「Ｎｏ」と判断され、前記ステップＰ５に戻る。この時、トラックＮｏカウンタ２７からトラックＮｏ記憶部２８に対して、トラックＮｏ「３」が転送記憶され、このトラックＮｏ「３」に対応する日付データ「７日」が日付データ記憶部２３から第１レジスタ２５ａに転送格納される（ステップＰ５，Ｐ６）。
　【００８４】
　そして、ステップＰ７〜Ｐ９の処理により、トラックＮｏ「４」及びトラックＮｏ「５」それぞれの選択フラグの確認が行なわれた後、再びステップＰ７においてトラックＮｏカウンタ２７におけるカウントデータがトラック「６」にカウントアップされる。これにより、第２比較部３０では、最終トラック「５」を越えたと比較判断されるので、ステップＰ８において「Ｙｅｓ」と判断され、上記ステップＰ５において予めトラックＮｏ記憶部２８に格納した第５の最小日付データを有するトラックＮｏ（この場合「３」）が順序記憶部３１に転送記憶される（ステップＰ１４）。
　【００８５】
　ここで、順序記憶部３１には、フロッピディスクにおける静止画記録トラックのトラックＮｏが、その日付データ順「３日」→「４日」→「６日」→「７日」に、トラック「４」→「５」→「１」→「２」→「３」と配列格納されたことになる。
　【００８６】
　この後、上記トラックＮｏ記憶部２８におけるトラックＮｏ「３」に対応する日付データ記憶部２３のメモリアドレスが、アドレス制御部２４により指示され、そのメモリアドレスに対して選択フラグが立てられる（ステップＰ１５，Ｐ１６）。
　【００８７】
　この時、アドレスカウンタ３２におけるカウントデータが（＋１）されて、順序記憶部３１におけるトラックＮｏメモリアドレスが進められると共に、このアドレスカウンタ３２のカウントデータが枚数記憶部３３において記憶される静止画記録トラック数（この場合「５」）を越えたか否か、つまり順序記憶部３１において全静止画記録トラックの日付データの小さい順の書込み処理が終了したか否かが、第３比較部３４において比較判断される（ステップＰ１７，Ｐ１８）。
　【００８８】
　この場合、枚数記憶部３３に記憶される静止画記録トラック数は「５」、アドレスカウンタ３２のカウントデータは「６」であるので、ステップＰ１８では「Ｙｅｓ」と判断され、該アドレスカウンタ３２のカウントデータがリセットされ、順序記憶部３１における先頭メモリアドレスのトラックＮｏ（この場合「４」）が指示される（ステップＰ２２）。
　【００８９】
　ここで、カメラ電源のオフ操作、又はフロッピディスクのイジェクト操作が成されない状態で、再生キーが操作されると、順序記憶部３１において示される先頭のトラックＮｏ（この場合「４」）に基づきヘッド移動制御部１７が制御され、磁気ディスク装置１６における磁気ヘッドが、フロッピディスクのトラック「４」位置に移動設定される（ステップＰ２３〜Ｐ２５）。
　【００９０】
　すると、上記磁気ディスク装置１６において、フロッピディスクのトラック「４」に記録された静止画データが読出され、スイッチ回路１８、復調部１９を介してエンコーダ２０からＮＴＳＣ方式のビデオ信号として出力再生される（ステップＰ２６）。
　【００９１】
　これにより、まず、フロッピディスクのトラック「４」に記録された、撮像日付が「３日」の静止画像が再生されることになる。この後、カメラ電源のオフ操作、又はフロッピディスクのイジェクト操作が成されない状態で、さらに再生キーが操作されると、アドレスカウンタ３２がカウントアップされ、順序記憶部３１における２番目のトラックＮｏ（この場合「５」）が指示される（ステップＰ２７〜Ｐ２９）。
　【００９２】
　すると、上記磁気ディスク装置１６において、フロッピディスクのトラック「５」に記録された静止画データが読出され、スイッチ回路１８、復調部１９を介してエンコーダ２０からＮＴＳＣビデオ信号として出力再生される（ステップＰ２６）。
　【００９３】
　これにより、上記「３日」に撮像された静止画像の再生に続いて、フロッピディスクのトラック「５」に記録された、撮像日付が「４日」の静止画像が再生されることになる。
　【００９４】
　この後さらに、再生キーを繰返し操作すると、ステップＰ２７〜Ｐ２９→Ｐ２５，Ｐ２６の処理が繰返し実行され、フロッピディスクのトラック「１」に記録された撮像日付が「６日」の静止画像、トラック「２」に記録された撮像日付が「７日」の静止画像、と順次撮像日付順にフロッピディスクに記録された静止画データが出力再生されるようになる。
　【００９５】
　したがって、上記構成の電子スチルカメラによれば、フロッピディスクのインデックストラックに記録した各静止画データに対応する撮像日付データを、一旦、日付データ記憶部２３に読出すと共に、その撮像日付順に静止画記録トラックを順序記憶部３１にて整理記憶させるので、この順序記憶部３１に記憶されたトラックＮｏに基き、磁気ディスク装置１６の磁気ヘッドを移動制御すれば、フロッピディスクに記録された複数の静止画データが撮像日付順に順次出力再生されるようになる。
　【００９６】
　【発明の効果】
　以上のように本発明によれば、記憶媒体に複数の静止画データを記録し再生するもので、上記記憶媒体に複数の静止画データを記録する画像データ記録手段と、上記記憶媒体に記録された各静止画データに対応した日付データ
を日付データ記憶部を介して該
を上記日付データ記憶部に読み出し、大
【図面の簡単な説明】
　【図１】
　本発明の画像データ処理装置の一実施例に係わる電子スチルカメラにおける第１電子回路の構成を示すブロック図。
　【図２】
　本発明の画像データ処理装置の一実施例に係わる電子スチルカメラにおける第２電子回路の構成を示すブロック図。
　【図３】
　上記電子スチルカメラにおける撮像記録処理を示すフローチャート。
　【図４】
　上記電子スチルカメラにおける撮像データの再生処理を示す前半フローチャート。
　【図５】
　上記電子スチルカメラにおける撮像データの再生処理を示す後半フローチャート。
　【符号の説明】
　１０…制御部、１１…レリーズスイッチ及び動作命令キー、１２…撮像部、１３…デコーダ、１４…ＦＭ変調部、１５、１８…スイッチ回路、１６…磁気ディスク装置、１７…ヘッド移動制御部、１９…復調部、２０…エンコーダ、２１…データ信号処理部、２２…日付カウンタ、２３…日付データ記憶部、２４…アドレス制御部、２５ａ…第１レジスタ、２５ｂ…第２レジスタ、２６…第１比較部、２７…トラックＮｏカウンタ、２８…トラックＮｏ記憶部、２９…最終トラックＮｏ記憶部、３０…第２比較部、３１…順序記憶部、３２…アドレスカウンタ、３３…枚数記憶部、３４…第３比較部。